(57)【要約】      （修正有）【課題】身体をぶつけても事故を引き起こす危険性が小さく、そのうえサッカーゴールポストの転倒を効果的に防止することができる、球技用ゴールポスト転倒防止ウェイトを提供する。【解決手段】それぞれ粒状体が収容された２つの内袋５と、該２つの内袋を収納する外袋４とからなることを特徴としている。【効果】２つの内袋の間に球技用ゴールポスト本体の底部を挟むように設置するだけで、球技用ゴールポストの転倒を簡単に防止することができ、選手が転倒してぶつかっても安全であり、ゴールポストの設置場所が固定されることがなく、ゴールウェイトを撤去したあとにグランドに穴が残らないため、つまづいて転倒することがない。【選択図】図１
0003108996.tif 000002
【実用新案登録請求の範囲】
【請求項１】
それぞれ粒状体が収容された２つの内袋と、該２つの内袋を収納する外袋とからなる球技用ゴールポスト転倒防止ウェイト。
【請求項２】
前記２つの内袋が、外袋内に固定されてなる請求項１記載の球技用ゴールポスト転倒防止ウェイト。
【請求項３】
前記２つの内袋が互いに分離されてなる請求項１または２記載の球技用ゴールポスト転倒防止ウェイト。
【請求項４】
前記２つの内袋が互いに離間されて接合されてなる請求項１または２記載の球技用ゴールポスト転倒防止ウェイト。
【請求項５】
互いに連通しない２つの空間が設けられた内袋と、該内袋を収容する外袋とからなり、
前記２つの空間内に粒状体が収容されてなる球技用ゴールポスト転倒防止ウェイト。
【請求項６】
前記外袋の対向する周縁部に開口が設けられてなる請求項１、２、３、４または５記載の球技用ゴールポスト転倒防止ウェイト。
【考案の詳細な説明】
【技術分野】
【０００１】
本考案は球技用ゴールポスト転倒防止ウェイトに関する。さらに詳しくは、それぞれ粒状体が収容体が収容された２つの内袋と、該２つの内袋を収容する外袋とからなる球技用ゴールポスト転倒防止ウェイトに関する。
【背景技術】
【０００２】
サッカーゴールポストは、試合中に強風にあおられることによって転倒することがあり、そのような場合、思わぬ大きな事故に見舞われることになるおそれがある。そこで、かかるサッカーゴールの転倒防止策として、図７に示されるとおり、サッカーゴールポスト本体１１の底部１２に板片１３を前方向に取りつけた、転倒防止板付きサッカーゴールポストが提案されている（例えば、特許文献１参照）。
【０００３】
しかし、特許文献１に開示された転倒防止板付きサッカーゴールポストの場合、ゴール付近での激しいプレイで、この転倒防止板（板片１３）につまずいたり、身体をぶつけたりするおそれもある。
【０００４】
また、特許文献１には、サッカーゴールポスト本体１１の底部１２に板片１３をスライド式に設けることも開示されているが、既存のサッカーゴールポストの底部２への適用が難しいという問題がある。この場合、板片１３をグランドに埋め込むことが考えられるが、そのようにすると、金具がグランドに残るため、やはり、事故に結びつくおそれがあり、そのうえ、ゴールポストを移動できないという問題もある。
【０００５】
【特許文献１】特開２００４−１３４号公報
【考案の開示】
【考案が解決しようとする課題】
【０００６】
本考案は、従来のサッカーゴールポストの問題点を解消し、既存のサッカーゴールポストを変更することなく適用することができ、身体をぶつけても事故を引き起こす危険性が小さく、そのうえサッカーゴールポストの転倒を効果的に防止することができる、サッカーに限られず、ハンドボールやホッケーなどを含む球技用ゴールポスト転倒防止ウェイトを提供することである。
【課題を解決するための手段】
【０００７】
本考案の第１の態様である球技用ゴールポスト転倒防止ウェイトは、それぞれ粒状体が収納された２つの内袋と、該２つの内袋を収容する外袋とからなることを特徴としている。
【０００８】
また、前記２つの内袋が、外袋内に固定されてなることが好ましい。
【０００９】
また、前記２つの内袋が互いに分離されてなるようにすることができる。
【００１０】
また、前記２つの内袋が互いに離間されて接合されてなるようにすることができる。
【００１１】
本考案の第２の態様である球技用ゴールポスト転倒防止ウェイトは、互いに連通しない２つの空間が設けられた内袋と、該内袋を収容する外袋とからなり、
前記２つの空間内に粒状体が収容されてなることを特徴としている。
【００１２】
また、前記外袋の対向する周縁部に開口が設けられてなることが好ましい。
【考案の効果】
【００１３】
本考案の請求項１〜４にかかわる球技用ゴールポスト転倒防止ウェイトによれば、それぞれ粒状体が収容された２つの内袋と、該２つの内袋を収納する外袋とからなることを構成上の特徴としているため、２つの内袋の間に球技用ゴールポスト本体の底部を挟むように設置するするだけで、球技用ゴールポストの転倒を簡単に防止することができ、選手が転倒してぶつかっても安全であり、球技用ゴールポストの設置場所が固定されることがなく、球技用ゴールウェイトを撤去したあとにグランドに穴が残らないため、つまずいて転倒することがない。
【００１４】
本考案の請求項５にかかわる球技用ゴールポスト転倒防止ウェイトによれば、互いに連通しない２つの空間が設けられた内袋と、該内袋を収容する外袋とからなり、
前記２つの空間内に粒状体が収容されてなることを構成上の特徴としているため、内袋の互いに連通しない２つの空間の間に球技用ゴールポスト本体の底部を挟むように設置するするだけで、球技用ゴールポストの転倒を簡単に防止することができ、選手が転倒してぶつかっても安全であり、球技用ゴールポストの設置場所が固定されることがなく、球技用ゴールウェイトを撤去したあとにグランドに穴が残らないため、つまずいて転倒することがない。
【００１５】
本考案の請求項６にかかわる球技用ゴールポスト転倒防止ウェイトによれば、外袋の対向する周縁部に開口が設けられているため、開口が取手として機能することができ、選手の足が引っ掛かりにくい。
【考案を実施するための最良の形態】
【００１６】
本考案の球技用ゴールポスト転倒防止ウェイト（以下、ウェイトという）について、添付図面を参照しながら以下に詳細に説明する。
【００１７】
図１は本考案の一実施の形態にかかわるウェイトの外袋と内袋との関係を示す斜視図、図２は図１の外袋に設けられた開口部周辺の構造を示す断面説明図、図３は本考案のウェイトの内袋を示す説明図、図４は本考案のウェイトの外袋と内袋との関係を示す一部破断断面説明図、図５は本考案のウェイトがサッカーのゴールポスト底部に設けられた状態を示す斜視図、図６はサッカーのゴールポストの底部に設置された状態を示す斜視図である。
【００１８】
図１〜４を参照すると、本実施の形態にかかわるウェイト３は、２つの内袋５と、当該２つの内袋を収容する外袋４とから構成される。２つの内袋５内には、砂などの粒状体が収納される。外袋４は、たとえば、スポーツバッグの生地に用いられる合成樹脂製の織布または不織布からなるシートにバッキング処理をした２枚のシート４ａおよび４ｂを糸７で縫合した袋（図１および２参照）が好適に用いられるが、麻袋などの天然繊維からなる袋を用いることもできる。内袋５の素材もとくに限定されないが、たとえば、合成樹脂製の織布または不織布からなるシートにポリウレタンのコーティングを施したものが好適に用いられるが、麻袋などの天然繊維からなる袋を用いることもできる。
【００１９】
図1を参照すると、本実施の形態のウェイト３の外袋４は、ほぼ矩形状を呈しており、対向する周縁部に２つの開口部６が設けられている。この開口部６が手提げ用の取手として機能する。２つの開口部６の周辺部は、図２に示されているように、外袋４の一方のシート４ａと他方のシート４ｂとのあいだに合成皮革製の補強層４ｃを設けると耐久性が向上するという利点がある。
【００２０】
さらに、２つの開口部６の一方の近辺には、外袋４の開口９（図４参照）を閉鎖するためのファスナーＦが設けられている。
【００２１】
図３および４を参照すると、内袋５の開口１０（図４参照）を閉鎖するために開口１０が折り返され、紐８が挿通されており、紐８を結わえてストッパＳにより係止する。
【００２２】
図４を参照すると、内袋５は、外袋４内での一方のシート４ａと他方のシート４ｂとのあいだで糸７により縫合され、かつ狭持される。
【００２３】
本実施の形態のウェイト３は、２つの内袋５が互いに独立しているものが図１および３に図示されているが、内袋５は、必ずしも互いに独立している必要はなく、たとえば、１つの内袋内に、互いに連通しない２つの空間を設けたものや、２つの袋を互いに離間して接合されたものであってもよい。
【００２４】
図５および６を参照すると、如上のように構成される本考案のウェイト３は、２つの内袋５内に砂などの粒状体が収容されたのち、さらに当該２つの内袋５が外袋４内に収容されているため、内袋５と内袋５とのあいだの部分をサッカーゴールの底部２図１〜４を参照すると、本実施の形態にかかわるウェイト３は、２つの内袋５と、当該２つの内袋を収容する外袋４とから構成される。２つの内袋５内には、砂などの粒状体が収納される。外袋４は、たとえば、スポーツバッグの生地に用いられる合成樹脂製の織布または不織布からなるシートにバッキング処理をした２枚のシート４ａおよび４ｂを糸７で縫合した袋（図１および２参照）が好適に用いられるが、麻袋などの天然繊維からなる袋を用いることもできる。内袋５の素材もとくに限定されないが、たとえば、合成樹脂製の織布または不織布からなるシートにポリウレタンのコーティングを施したものが好適に用いられるが、麻袋などの天然繊維からなる袋を用いることもできる。
【００２５】
図１を参照すると、本実施の形態のウェイト３の外袋４は、ほぼ矩形状を呈しており、対向する周縁部に２つの開口部６が設けられている。この開口部６が手提げ用の取手として機能する。２つの開口部６の周辺部は、図２に示されているように、外袋４の一方のシート４ａと他方のシート４ｂとのあいだに合成皮革製の補強層４ｃを設けると耐久性が向上するという利点がある。
【００２６】
さらに、２つの開口部６の一方の近辺には、外袋４の開口９（図４参照）を閉鎖するためのファスナーＦが設けられている。
【００２７】
図３および４を参照すると、内袋５の開口１０（図４参照）を閉鎖するために開口１０が折り返され、紐８が挿通されており、紐８を結わえてストッパＳにより係止する。
【００２８】
図４を参照すると、内袋５は、外袋４内での一方のシート４ａと他方のシート４ｂとのあいだで糸７により縫合され、かつ狭持される。
【００２９】
本実施の形態のウェイト３は、２つの内袋５が互いに独立しているものが図１および３に図示されているが、内袋５は、必ずしも互いに独立している必要はなく、たとえば、１つの内袋内に、互いに連通しない２つの空間を設けたものや、２つの袋を互いに離間して接合されたものであってもよい。
【００３０】
図５および６を参照すると、如上のように構成される本考案のウェイト３は、２つの内袋５内に砂などの粒状体が収容されたのち、さらに当該２つの内袋５が外袋４内に収容されているため、内袋５と内袋５とのあいだの部分をサッカーゴール１の底部２に設置すれば、サッカーゴールの底部２を挟んで２つの内袋５によってサッカーゴール１の底部２が支持される。このため、図６のように、たとえば、４つのウェイト３をサッカーゴール１の底部２に設置することにより、サッカーゴール１の転倒が確実に防止され、かつ、ウェイト３の錘が内袋５内に収容された粒状体であるため選手が転がってウェイト３に当たっても衝撃が吸収されるため、怪我をすることも防止できる。さらに、外袋５には、取手として、紐などの部品を別途設けることなく、外袋５自体に開口部６を設けて、これを取手としているため、選手の足が引っ掛かることが防止され得る。
【図面の簡単な説明】
【００３１】
【図１】本考案の一実施の形態にかかわるウェイトの外袋と内袋との関係を示す斜視図である。
【図２】図１の外袋に設けられた開口部周辺の構造を示す断面説明図である。
【図３】本考案のウェイトの内袋を示す説明図である。
【図４】本考案のウェイトの外袋と内袋との関係を示す一部破断断面説明図である。
【図５】本考案のウェイトがサッカーのゴールポスト底部に設けられた状態を示す斜視図である。
【図６】サッカーのゴールポストの底部に設置された状態を示す斜視図である。
【図７】従来のサッカーのゴールポストの底部を示す斜視図である。
【符号の説明】
【００３２】
１    サッカーゴール
２    サッカーのゴールポストの底部
３    ウェイト
４    外袋
４ａ  シート
４ｂ  シート
４ｃ  補強層
５    内袋
６    開口部
７    糸
８    紐
９    開口
１０    開口
Ｆ    ファスナー
Ｓ    ストッパ
【図１】
0003108996.tif 000003
【図２】
0003108996.tif 000004
【図３】
0003108996.tif 000005
【図４】
0003108996.tif 000006
【図５】
0003108996.tif 000007
【図６】
0003108996.tif 000008
【図７】
0003108996.tif 000009